(57)【要約】  【課題】無線電話端末から発信あるいは無線電話端末に着信した呼の通話相手と、無線電話端末の近傍等にある固定電話端末との間に、無線電話端末を経由させることなく通話路を確立する技術を提供する。  【解決手段】携帯電話端末１は、近距離無線通信６により近傍の固定電話端末２からその固定電話端末２のＩＤを取得する。そして、携帯電話網４に発信もしくは携帯電話網４から着信した呼の転送指示メッセージを、取得した固定電話端末２のＩＤとともに、携帯電話網４を介して、携帯電話網４および固定電話網５に対する電話交換制御を行う電話制御装置３に送信する。これを受けて、電話制御装置３は、呼を、携帯電話端末１から転送指示メッセージに付加されているＩＤにより特定される固定電話端末２に転送する。【選択図】図１
2010199958.tif 000002
【特許請求の範囲】
【請求項１】
呼の転送サービス機能を備えた無線通信網と接続する無線電話端末と、前記無線通信網に接続されている固定電話網と接続する少なくとも一台の固定電話端末と、を有する電話システムであって、
前記無線電話端末は、
前記固定電話端末と無線通信を行うための固定電話端末用インターフェース手段と、
前記固定電話端末用インターフェース手段を介して前記固定電話端末から当該固定電話端末のＩＤを取得する端末ＩＤ取得手段と、
前記無線通信網に発信もしくは前記無線通信網から着信した呼の転送指示を、前記端末ＩＤ取得手段により取得した前記固定電話端末のＩＤとともに、前記無線通信網に送信する転送指示手段と、を有し、
前記固定電話端末は、
前記無線電話端末と無線通信を行うための無線電話端末用インターフェース手段と、
前記無線電話端末用インターフェース手段を介して前記無線電話端末に自固定電話端末のＩＤを通知する端末ＩＤ通知手段と、を有する
ことを特徴とする電話システム。
【請求項２】
請求項１に記載の電話システムであって、
前記端末ＩＤ取得手段は、
前記固定電話端末用インターフェース手段を介して前記固定電話端末にＩＤ送信要求を送信して、当該固定電話端末の応答を所定時間待つ処理を、優先順位の高い前記固定電話端末から順番に、いずれかの前記固定電話端末から当該固定電話端末のＩＤを取得するまで繰り返し、
前記端末ＩＤ通知手段は、
前記無線電話端末用インターフェース手段を介して前記無線電話端末から前記ＩＤ送信要求を受信したならば、自固定電話端末が通話中あるいは発着信処理中でない場合にのみ、前記無線電話端末に自固定電話端末のＩＤを通知する
ことを特徴とする電話システム。
【請求項３】
請求項２に記載の通信端末であって、
前記端末ＩＤ取得手段は、
前記無線電話端末用インターフェース手段における各前記固定電話端末からの受信電波の電波強度に基づいて前記優先順位を決定する
ことを特徴とする電話システム。
【請求項４】
無線通信網と接続する無線電話端末と、前記無線通信網に接続されている固定電話網と接続する少なくとも一台の固定電話端末と、を有する電話システムであって、
前記無線電話端末は、
前記固定電話端末と無線通信を行うための固定電話端末用インターフェース手段と、
前記固定電話端末用インターフェース手段を介して前記固定電話端末に、前記無線通信網に発信もしくは前記無線通信網から着信した呼の通話相手のＩＤを伴うコールバック指示を送信するコールバック指示手段と、を有し、
前記固定電話端末は、
前記無線電話端末と無線通信を行うための無線電話端末用インターフェース手段と、
前記無線電話端末用インターフェース手段を介して前記無線電話端末から前記コールバック指示を受信するコールバック指示受信手段と、
前記コールバック指示受信手段により受信された前記コールバック指示に付加されている前記ＩＤを送信先とする呼を前記固定電話網に発信するコールバック手段と、を有する
ことを特徴とする電話システム。
【請求項５】
請求項４に記載の電話システムであって、
前記コールバック指示手段は、
前記固定電話端末用インターフェース手段を介して前記固定電話端末に前記コールバック指示を送信して、当該固定電話端末の応答を所定時間待つ処理を、優先順位の高い前記固定電話端末から順番に、いずれかの前記固定電話端末から、コールバックを実施する旨の応答を受信するまで繰り返し、
前記コールバック指示受信手段は、
前記無線電話端末用インターフェース手段を介して前記無線電話端末から前記コールバック指示を受信したならば、操作者からコールバック実施の指示を受け付けた場合にのみ、前記無線電話端末に、前記コールバックを実施する旨の応答を通知し、
前記コールバック手段は、
前記コールバック指示受信手段が、前記コールバックを実施する旨の応答を前記無線電話端末に通知した場合にのみ、前記コールバック指示受信手段により受信された前記コールバック指示に付加されている前記ＩＤを送信先とする呼を前記固定電話網に発信する
ことを特徴とする電話システム。
【請求項６】
請求項５に記載の電話システムであって、
前記コールバック指示手段は、
前記無線電話端末用インターフェース手段における各前記固定電話端末からの受信電波の電波強度に基づいて前記優先順位を決定する
ことを特徴とする電話システム。
【請求項７】
請求項１、２、３、４、５および６のいずれか一項に記載の電話システムにおける前記無線電話端末として機能する無線電話端末。
【請求項８】
請求項１、２、３、４、５および６のいずれか一項に記載の電話システムにおける前記固定電話端末として機能する固定電話端末。
【請求項９】
呼の転送サービス機能を備えた無線通信網に無線電話端末から発信あるいは前記無線通信網から前記無線電話端末に着信した呼の通話相手と、前記無線通信網に接続されている固定電話網に接続している固定電話端末との間に通話路を確立する電話制御方法であって、
前記無線電話端末および前記固定電話端末間の近距離無線通信により、前記無線電話端末が前記固定電話端末のＩＤを取得し、
前記無線電話端末が、前記無線通信網に発信もしくは前記無線通信網から着信した呼の転送指示を、取得した前記固定電話端末のＩＤとともに、前記無線通信網に送信する
ことを特徴とする電話制御方法。
【請求項１０】
無線電話端末から無線通信網に発信あるいは前記無線通信網から前記無線電話端末に着信した呼の通話相手と、前記無線通信網に接続されている固定電話網に接続している固定電話端末との間に通話路を確立する電話制御方法であって、
前記無線電話端末および前記固定電話端末間の近距離無線通信により、前記無線電話端末が前記固定電話端末に、前記無線通信網に発信もしくは前記無線通信網から着信した呼の通話相手のＩＤを伴うコールバック指示を送信し、
前記固定電話端末が、前記無線電話端末から受信したコールバック指示に付加されている前記ＩＤを送信先とする呼を前記固定電話網に発信する
ことを特徴とする電話制御方法。
【発明の詳細な説明】
【技術分野】
【０００１】
本発明は、無線電話端末から発信あるいは無線電話端末に着信した呼の通話相手と、無線電話端末の近傍にある固定電話端末との間に通話路を確立する技術に関する。
【背景技術】
【０００２】
特許文献１には、携帯電話端末と非携帯電話端末（固定電話端末）との間に無線伝送路を形成して、この携帯電話端末に着信した呼をこの非携帯電話端末に転送する技術が開示されている。また、この非携帯電話端末の保留動作により、さらに別の非携帯電話端末へ呼を転送する技術が開示されている。
【先行技術文献】
【特許文献】
【０００３】
【特許文献１】特開２００５−２９４９６９号公報
【発明の概要】
【発明が解決しようとする課題】
【０００４】
特許文献１に記載の技術では、着信を受けた携帯電話端末が呼を中継する。このため、携帯電話端末は、転送先での通話が終了するまで呼の中継を維持しなければならない。したがって、携帯電話端末のユーザは、転送先での通話が終了するまで別の発着信を行えない。また、中継している呼を誤った操作で切断したり、携帯電波環境の悪い場所へ移動することで呼が切断されたりしないように注意する必要があり、不便である。また、呼の中継を維持するため、携帯電話端末のバッテリが消耗する。
【０００５】
なお、携帯電話事業者等が提供する転送サービスを利用すれば、携帯電話端末に着信した呼を、この携帯電話端末に中継をさせることなく、他の固定電話端末に転送させることができる。しかし、転送サービスの利用に際し、転送先の固定電話端末の電話番号を携帯電話網に通知する必要があるため、転送先の固定電話端末の電話番号を知らない場合はこの転送サービスを利用できない。
【０００６】
本発明は上記事情に鑑みてなされたものであり、本発明の目的は、無線電話端末から発信あるいは無線電話端末に着信した呼の通話相手と、無線電話端末の近傍等にある固定電話端末との間に、無線電話端末を経由させることなく通話路を確立する技術を提供することにある。
【課題を解決するための手段】
【０００７】
上記課題を解決するために、本発明の第一の態様は、呼の転送サービス機能を備えた無線通信網に接続している無線電話端末と、無線通信網に接続されている固定電話網に接続している固定電話端末との間の無線通信（例えば近距離無線通信）により、無線電話端末が固定電話端末のＩＤを取得する。そして、無線電話端末が、無線通信網に発信もしくは無線通信網から着信した呼の転送指示を、取得した固定電話端末のＩＤとともに無線通信網に送信する。
【０００８】
例えば、本発明の第一の態様は、呼の転送サービス機能を備えた無線通信網と接続する無線電話端末と、前記無線通信網に接続されている固定電話網と接続する少なくとも一台の固定電話端末と、を有する電話システムであって、
前記無線電話端末は、
前記固定電話端末と無線通信を行うための固定電話端末用インターフェース手段と、
前記固定電話端末用インターフェース手段を介して前記固定電話端末から当該固定電話端末のＩＤを取得する端末ＩＤ取得手段と、
前記無線通信網に発信もしくは前記無線通信網から着信した呼の転送指示を、前記端末ＩＤ取得手段により取得した前記固定電話端末のＩＤとともに、前記無線通信網に送信する転送指示手段と、を有し、
前記固定電話端末は、
前記無線電話端末と無線通信を行うための無線電話端末用インターフェース手段と、
前記無線電話端末用インターフェース手段を介して前記無線電話端末に自固定電話端末のＩＤを通知する端末ＩＤ通知手段と、を有する。
【０００９】
また、本発明の第二の態様は、無線通信網に接続している無線電話端末と、無線通信網に接続されている固定電話網に接続している固定電話端末との間の無線通信（例えば近距離無線通信）により、無線電話端末が固定電話端末に、無線通信網に発信もしくは無線通信網から着信した呼の通話相手のＩＤを伴うコールバック指示を送信する。そして、固定電話端末が、無線電話端末から受信したコールバック指示に付加されているＩＤを送信先とする呼を固定電話網に発信する。
【００１０】
例えば、本発明の第二の態様は、無線通信網と接続する無線電話端末と、前記無線通信網に接続されている固定電話網と接続する少なくとも一台の固定電話端末と、を有する電話システムであって、
前記無線電話端末は、
前記固定電話端末と無線通信を行うための固定電話端末用インターフェース手段と、
前記固定電話端末用インターフェース手段を介して前記固定電話端末に、前記無線通信網に発信もしくは前記無線通信網から着信した呼の通話相手のＩＤを伴うコールバック指示を送信するコールバック指示手段と、を有し、
前記固定電話端末は、
前記無線電話端末と無線通信を行うための無線電話端末用インターフェース手段と、
前記無線電話端末用インターフェース手段を介して前記無線電話端末からコールバック指示を受信するコールバック指示受信手段と、
前記コールバック指示受信手段により受信されたコールバック指示に付加されているＩＤを送信先とする呼を前記固定電話網に発信するコールバック手段と、を有する。
【発明の効果】
【００１１】
本発明によれば、無線電話端末から発信あるいは無線電話端末に着信した呼の通話相手と、無線電話端末の近傍等にある固定電話端末との間に、無線電話端末を経由させることなく通話路を確立することができる。
【図面の簡単な説明】
【００１２】
【図１】図１は、本発明の第一実施の形態が適用された電話システムの概略図である。
【図２】図２は、図１に示す携帯電話端末１の概略構成図である。
【図３】図３は、図２に示す携帯電話端末１の呼転送に係わる動作を説明するためのフロー図である。
【図４】図４は、図１に示す固定電話端末２の概略構成図である。
【図５】図５は、図４に示す固定電話端末２の呼転送に係わる動作を説明するためのフロー図である。
【図６】図６は、図１に示す電話制御装置３の概略構成図である。
【図７】図７は、図６に示す電話制御装置３の呼転送に係わる動作を説明するためのフロー図である。
【図８】図８は、本発明の第一実施の形態が適用された電話システムの呼転送に係わる動作を説明するためのシーケンス図である。
【図９】図９は、本発明の第二実施の形態が適用された電話システムに係る携帯電話端末１Ａの概略構成図である。
【図１０】図１０は、図９に示す携帯電話端末１Ａのコールバックに係わる動作を説明するためのフロー図である。
【図１１】図１１は、本発明の第二実施の形態が適用された電話システムに係る固定電話端末２Ａの概略構成図である。
【図１２】図１２は、図１１に示す固定電話端末２Ａのコールバックに係わる動作を説明するためのフロー図である。
【図１３】図１３は、本発明の第二実施の形態が適用された電話システムのコールバックに係わる動作を説明するためのシーケンス図である。
【発明を実施するための形態】
【００１３】
以下、本発明の実施の形態について説明する。
【００１４】
［第一実施の形態］
図１は、本発明の第一実施の形態が適用された電話システムの概略図である。
【００１５】
図示するように、本実施の形態に係る電話システムは、携帯電話網４に接続された携帯電話端末１と、ＰＳＴＮ、ＩＳＤＮ、ＩＰ電話網等の固定電話網５に接続された少なくとも一台の固定電話端末２と、携帯電話網４および固定電話網５の電話交換制御を行う電話制御装置３と、を有する。
【００１６】
図１において、携帯電話端末１は、ユーザから呼の転送指示を受け付けた場合、および着信に対してユーザから応答操作を受け付けることなく所定時間経過後に自動応答した場合等の、所定の呼転送イベントが発生すると、無線ＬＡＮ、Ｂｌｕｅｔｏｏｔｈ、ワイヤレスＵＳＢ、ＲＦＩＤ、赤外線通信等の近距離無線通信６により、いずれかの固定電話端末２からその固定電話端末２のＩＤ（電話番号等）を取得する。そして、携帯電話網４に発信もしくは携帯電話網４から着信した呼の転送指示メッセージを、取得した固定電話端末２のＩＤ（転送先ＩＤ）とともに電話制御装置３に送信する。これを受けて、電話制御装置３は、携帯電話端末１と通話相手との間に確立されている呼を、携帯電話端末１からの転送指示メッセージで指定されている転送先ＩＤにより特定される固定電話端末２に転送する。
【００１７】
図２は、図１に示す携帯電話端末１の概略構成図である。
【００１８】
図示するように、携帯電話端末１は、携帯電話網インターフェース部１１と、近距離無線インターフェース部１２と、ユーザインターフェース部１３と、携帯電話機能部１４と、転送制御部１５と、を有する。
【００１９】
携帯電話網インターフェース部１１は、携帯電話網４に接続するためのインターフェースである。
【００２０】
近距離無線インターフェース部１２は、近距離無線通信６により、固定電話端末２と通信を行うためのインターフェースである。
【００２１】
ユーザインターフェース部１３は、ユーザが通話および各種操作を行うためのインターフェースであり、図示していないが、ハンドセット、ダイヤルキー等の操作部、および液晶ディスプレイ等の表示部を備える。
【００２２】
携帯電話機能部１４は、携帯電話端末１本来の機能を実現するための処理部であり、呼制御部１４１と、通話処理部１４２と、を有する。
【００２３】
呼制御部１４１は、携帯電話網４に対する発着信を処理して、携帯電話網インターフェース部１１を介して通話相手との間に通話路を確立する。
【００２４】
通話処理部１４２は、呼制御部１４１によって確立された通話路を介して、通話相手に、ユーザインターフェース部１３に入力された音声を送信するとともに、この通話路を介して通話相手から受信した音声をユーザインターフェース部１３へ出力する。
【００２５】
転送制御部１５は、携帯電話網４に発信あるいは携帯電話網４から着信した呼の、固定電話端末２への転送を制御するための処理部であり、転送先候補決定部１５１と、端末ＩＤ取得部１５２と、転送指示部１５３と、を有する。
【００２６】
転送先候補決定部１５１は、近距離無線通信６により通信可能な固定電話端末２を、呼の転送先候補として、近距離無線インターフェース部１２におけるこの固定電話端末２の受信電波強度とともに登録する。この受信電波強度は、転送の優先順位として用いられる。
【００２７】
端末ＩＤ取得部１５２は、近距離無線インターフェース部１２を介して、登録された転送候補のうち優先順位の最も高い転送先候補である固定電話端末２から、この固定電話端末２のＩＤの取得を試みる。そして、ＩＤの取得に失敗した場合は、この固定電話端末２の次に優先順位の高い転送先候補である固定電話端末２に対して同様に、この固定電話端末２のＩＤの取得を試みる。この処理を、いずれかの固定電話端末２のＩＤが取得されるまで、優先順位の高い順に繰り返す。
【００２８】
転送指示部１５３は、携帯電話網４に発信もしくは携帯電話網４から着信した呼の転送指示メッセージを、端末ＩＤ取得部１５２により取得した固定電話端末２のＩＤ（転送先ＩＤ）とともに、携帯電話網インターフェース部１１を介して電話制御装置３に送信する。
【００２９】
図３は、図２に示す携帯電話端末１の呼転送に係わる動作を説明するためのフロー図である。
【００３０】
このフローは、ユーザから通話中の呼の転送指示を受け付けた場合、および着信に対してユーザから応答操作を受け付けることなく所定時間を経過して呼制御部１４１が自動応答した場合等の、所定の呼転送イベントが発生した場合に開始される。
【００３１】
先ず、転送先候補決定部１５１は、自携帯電話端末１の近傍にある固定電話端末２を探索するためのメッセージである固定電話端末探索メッセージを近距離無線インターフェース部１２からマルチキャストで送信する（Ｓ１０１）。
【００３２】
次に、転送先候補決定部１５１は、所定時間（例えば数〜十数秒）を経過するまでの間（Ｓ１０４）、呼の転送先候補となる固定電話端末２の登録処理を行う（Ｓ１０２、Ｓ１０３）。すなわち、転送先候補決定部１５１は、固定電話端末２から近距離無線インターフェース部１２に届いた応答メッセージの送信元アドレス（ＭＡＣアドレス等）を、呼の転送先候補として、近距離無線インターフェース部１２におけるこの応答メッセージの受信電波強度とともに登録する。
【００３３】
次に、端末ＩＤ取得部１５２は、呼の転送先候補が登録されているか否かを判断する（Ｓ１０５）。呼の転送先候補が登録されているならば（Ｓ１０５でＹＥＳ）、端末ＩＤ取得部１５２は、登録されている転送先候補のなかで最も高い電波強度の転送先候補を選択する（Ｓ１０６）。そして、この転送先候補のアドレスを送信先とするＩＤ送信要求を送信する（Ｓ１０７）。
【００３４】
その後、端末ＩＤ取得部１５２は、近距離無線インターフェース部１２を介して、ＩＤ送信要求の送信先である固定電話端末２から、所定時間（例えば数〜十数秒）ｔ内にＩＤを受信しなかった場合（Ｓ１０８でＮＯ）、ユーザインターフェース部１３を介してユーザから強制終了操作を受け付けていないならば（Ｓ１１３でＮＯ）、ＩＤ送信要求の送信先である固定電話端末２の、転送先候補としての登録を削除して（Ｓ１１４）、Ｓ１０５に戻る。ユーザインターフェース部１３を介してユーザから強制終了操作を受け付けているならば（Ｓ１１３でＹＥＳ）、端末ＩＤ取得部１５２は、呼の転送が行われなかった旨のメッセージをユーザインターフェース部１３から出力するなどの所定の転送失敗通知を行って（Ｓ１１５）、このフローを終了する。
【００３５】
一方、端末ＩＤ取得部１５２は、近距離無線インターフェース部１２を介して、ＩＤ送信要求の送信先である固定電話端末２から所定時間ｔ内にＩＤを受信した場合（Ｓ１０８でＹＥＳ）、このＩＤを転送指示部１５３に渡す。これを受けて、転送指示部１５３は、このＩＤが転送先ＩＤに指定された転送指示メッセージを生成し（Ｓ１０９）、この転送指示メッセージを、携帯電話網インターフェース部１１を介して電話制御装置３に送信する（Ｓ１１０）。
【００３６】
その後、転送指示部１５３は、例えば所定時間内に、携帯電話網インターフェース部１１を介して電話制御装置３から転送不可メッセージを受信しなかったならば（Ｓ１１１でＮＯ）、呼の転送が行われた旨のメッセージをユーザインターフェース部１３から出力するなどの所定の転送成功通知を行って（Ｓ１１２）、このフローを終了する。一方、電話制御装置３から転送不可メッセージを受信したならば（Ｓ１１１でＹＥＳ）、呼の転送が行われなかった旨のメッセージをユーザインターフェース部１３から出力するなどの所定の転送失敗通知を行って（Ｓ１１５）、このフローを終了する。
【００３７】
また、呼の転送先候補が登録されていない場合（Ｓ１０５でＮＯ）、端末ＩＤ取得部１５２は、その旨を転送指示部１５３に通知する。これを受けて、転送指示部１５３は、呼の転送が行われなかった旨のメッセージをユーザインターフェース部１３から出力するなどの所定の転送失敗通知を行って（Ｓ１１５）、このフローを終了する。
【００３８】
図４は、図１に示す固定電話端末２の概略構成図である。
【００３９】
図示するように、固定電話端末２は、固定電話網インターフェース部２１と、近距離無線インターフェース部２２と、ユーザインターフェース部２３と、固定電話機能部２４と、応答メッセージ送信部２５と、端末ＩＤ通知部２６と、を有する。
【００４０】
固定電話網インターフェース部２１は、固定電話網５に接続するためのインターフェースである。
【００４１】
近距離無線インターフェース部２２は、近距離無線通信６により、携帯電話端末１と通信を行うためのインターフェースである。
【００４２】
ユーザインターフェース部２３は、ユーザが通話および各種操作を行うためのインターフェースであり、図示していないが、ハンドセット、ダイヤルキー等の操作部、および液晶ディスプレイ等の表示部を備える。
【００４３】
固定電話機能部２４は、固定電話端末２本来の機能を実現するための処理部であり、呼制御部２４１と、通話処理部２４２と、を有する。
【００４４】
呼制御部２４１は、固定電話網５に対する発着信を処理して、固定電話網インターフェース部２１を介して通話相手との間に通話路を確立する。
【００４５】
通話処理部２４２は、呼制御部２４１によって確立された通話路を介して通話相手に、ユーザインターフェース部２３に入力された音声を送信するとともに、この通話路を介して通話相手から受信した音声をユーザインターフェース部２３へ出力する。
【００４６】
応答メッセージ送信部２５は、近距離無線インターフェース部２２を介して携帯電話端末１に、この携帯電話端末１から受信した固定電話端末探索メッセージに対する応答メッセージを送信する。
【００４７】
端末ＩＤ通知部２６は、近距離無線インターフェース部２２を介して携帯電話端末１に自固定電話端末２のＩＤを送信する。
【００４８】
図５は、図４に示す固定電話端末２の呼転送に係わる動作を説明するためのフロー図である。
【００４９】
応答メッセージ送信部２５は、近距離無線インターフェース部２２を介して携帯電話端末１から固定電話端末探索メッセージを受信すると（Ｓ２０１でＹＥＳ）、呼制御部２４１が発着信処理中でなく、かつ通話処理部２４２が通話中でないならば（Ｓ２０２でＮＯ）、近距離無線インターフェース部２２を介してこの携帯電話端末１に応答メッセージを返信する（Ｓ２０３）。一方、呼制御部２４１が発着信処理中、あるいは通話処理部２４２が通話中であるならば（Ｓ２０２でＹＥＳ）、固定電話端末探索メッセージに応答しない。
【００５０】
また、端末ＩＤ通知部２６は、近距離無線インターフェース部２２を介して携帯電話端末１からＩＤ送信要求を受信すると（Ｓ２０４でＹＥＳ）、呼制御部２４１が発着信処理中でなく、かつ通話処理部２４２が通話中でないならば（Ｓ２０５でＮＯ）、近距離無線インターフェース部２２を介してこの携帯電話端末１に自固定電話端末２のＩＤを返信する（Ｓ２０６）。一方、呼制御部２４１が発着信処理中、あるいは通話処理部２４２が通話中であるならば（Ｓ２０５でＹＥＳ）、ＩＤ送信要求に応答しない。
【００５１】
図６は、図１に示す電話制御装置３の概略構成図である。
【００５２】
図示するように、電話制御装置３は、固定電話網インターフェース部３１と、携帯電話網インターフェース部３２と、電話交換機能部３３と、転送制御部３４と、を有する。
【００５３】
固定電話網インターフェース部３１は、固定電話網５に接続するためのインターフェースである。
【００５４】
携帯電話網インターフェース部３２は、携帯電話網４に接続するためのインターフェースである。
【００５５】
電話交換機能部３３は、固定電話網５および携帯電話網４に対する電話交換制御（スイッチング）を行う。
【００５６】
転送制御部３４は、携帯電話網インターフェース部３２を介して携帯電話端末１より受け付けた転送指示メッセージに従い、この携帯電話端末１との間に確立されている呼を、この転送指示メッセージで指定されている転送先ＩＤにより特定される固定電話端末２に転送する。
【００５７】
図７は、図６に示す電話制御装置３の呼転送に係わる動作を説明するためのフロー図である。
【００５８】
このフローは、転送制御部３４が携帯電話網インターフェース部３２を介して携帯電話端末１から転送指示メッセージを受信することで開始される。
【００５９】
先ず、転送制御部３４は、転送指示メッセージで指定されている転送先ＩＤを特定する（Ｓ３０１）。それから、転送制御部３４は、電話交換機能部３３と連携し、呼の転送処理を行う（Ｓ３０２〜Ｓ３０７）。
【００６０】
すなわち、転送制御部３４は、電話交換機能部３３と連携して、転送指示メッセージ送信元の通話相手に、転送中である旨のアナウンスおよび保留音を送出するとともに（Ｓ３０２）、転送先ＩＤにより特定される固定電話端末２に発信する（Ｓ３０３）。
【００６１】
そして、所定時間内に、転送先ＩＤにより特定される固定電話端末２から応答があったならば（Ｓ３０４でＹＥＳ）、転送先ＩＤにより特定される固定電話端末２との間に呼を確立して、この呼と転送指示メッセージ送信元の通話相手との間に確立されている呼とを接続するとともに（Ｓ３０５）、転送指示メッセージ送信元との間に確立されている呼を切断し（Ｓ３０６）、このフローを終了する。
【００６２】
一方、所定時間内に、転送先ＩＤにより特定される固定電話端末２から応答がなかったならば（Ｓ３０４でＮＯ）、転送指示メッセージ送信元に、転送が行われなかった旨のメッセージである転送不可メッセージを送信し（Ｓ３０７）、このフローを終了する。
【００６３】
次に、本実施の形態が適用された電話システムの動作例を説明する。
【００６４】
図８は、本発明の第一実施の形態が適用された電話システムの呼転送に係わる動作を説明するためのシーケンス図である。
【００６５】
ここでは、携帯電話端末１の近傍に２台の固定電話端末２−１、２−２がある場合を例にとり説明する。
【００６６】
携帯電話網４を介して電話制御装置３から携帯電話端末１に呼接続要求メッセージが着信し（Ｓ４０１）、これに対して携帯電話端末１のユーザがオフフック等の応答操作を行うと（Ｓ４０２）、携帯電話端末１は、携帯電話網４を介して電話制御装置３に応答メッセージを送信する（Ｓ４０３）。これにより、携帯電話網４および電話制御装置３を介して、携帯電話端末１と通話相手との間に呼が確立する（Ｓ４０４）。
【００６７】
さて、携帯電話端末１は、ユーザより転送操作を受け付けると（Ｓ４０５）、近距離無線通信６により固定電話端末探索メッセージをマルチキャスト送信する（Ｓ４０６）。これを受けて、携帯電話端末１の近傍にある固定電話端末２−１、２−２は、それぞれ、自固定電話端末２−１、２−２が発着信処理中および通話中のいずれでもないことを確認し、近距離無線通信６により携帯電話端末１に応答メッセージを送信する（Ｓ４０７）。
【００６８】
次に、携帯電話端末１は、応答メッセージの送信元である固定電話端末２−１、２−２を、呼の転送先候補として、応答メッセージの受信電波強度とともに登録する。それから、携帯電話端末１は、登録した転送先候補（固定電話端末２−１、２−２）のうち、電波強度の最も高い転送先候補を選択する。ここでは、固定電話端末２−１が選択されたものとする。携帯電話端末１は、近距離無線通信６により、選択した転送先候補である固定電話端末２−１にＩＤ送信要求を送信する（Ｓ４０９）。
【００６９】
ここで、固定電話端末２−１においては、ＩＤ送信要求の受信に先立って、ユーザにより発信操作が行われたものとする（Ｓ４０８）。この場合、固定電話端末２−１は、自固定電話端末２−１のＩＤを返信しない。
【００７０】
さて、携帯電話端末１は、固定電話端末２−１からＩＤを受信することなく所定時間ｔが経過すると、固定電話端末２−１を、登録された転送先候補から削除する。それから、携帯電話端末１は、残された転送先候補のなかから、電波強度の最も高い転送先候補を選択する。ここでは、転送先候補は固定電話端末２−２のみなので、固定電話端末２−２が選択される。携帯電話端末１は、近距離無線通信６により、選択した転送先候補である固定電話端末２−２にＩＤ送信要求を送信する（Ｓ４１０）。
【００７１】
これを受けて、固定電話端末２−２は、近距離無線通信６により、自固定電話端末２−２のＩＤを携帯電話端末１に送信する（Ｓ４１１）。
【００７２】
次に、携帯電話端末１は、固定電話端末２−２より固定電話端末２−２のＩＤを受信したならば、転送先ＩＤとして固定電話端末２−２のＩＤが指定された転送指示メッセージを生成する。そして、携帯電話網４を介して電話制御装置３に、この転送指示メッセージを送信する（Ｓ４１２）。
【００７３】
電話制御装置３は、携帯電話網４を介して携帯電話端末１から転送指示メッセージを受信すると、この携帯電話端末１の通話相手に、転送中である旨のアナウンスおよび保留音を送信する（Ｓ４１３）。また、電話制御装置３は、固定電話網５を介して、転送指示メッセージで指定されている転送先ＩＤにより特定される固定電話端末２−２に呼接続要求メッセージを発信する。
【００７４】
さて、固定電話網５を介して電話制御装置３から固定電話端末２−２に呼接続要求メッセージが着信し（Ｓ４１４）、これに対して固定電話端末２−２のユーザがオフフック等の応答操作を行うと（Ｓ４１５）、固定電話端末２−２は、固定電話網５を介して電話制御装置３に応答メッセージを送信する（Ｓ４１６）。これを受けて、電話制御装置３は、固定電話端末２−２との間に呼を確立するとともに、この呼と、携帯電話端末１の通話相手との間に確立されている呼とを接続する（Ｓ４１７）。これにより、固定電話網５および電話制御装置３を介して、固定電話端末２−２と通話相手との間に呼が確立する（Ｓ４１８）。
【００７５】
また、電話制御装置３は、携帯電話網４を介して携帯電話端末１に、呼切断要求メッセージを送信して、携帯電話端末１との間に確立されている呼を切断する（Ｓ４１９）。
【００７６】
以上、本発明の第一実施の形態を説明した。
【００７７】
本実施の形態において、携帯電話端末１は、近距離無線通信６により近傍の固定電話端末２からその固定電話端末２のＩＤを呼の転送先ＩＤとして取得する。そして、携帯電話網４に発信もしくは携帯電話網４から着信した呼の転送指示メッセージを、取得した固定電話端末２のＩＤ（転送先ＩＤ）とともに、携帯電話網４を介して、携帯電話網４および固定電話網５に対する電話交換制御を行う電話制御装置３に送信する。これを受けて、電話制御装置３は、呼を、携帯電話端末１から転送指示メッセージに付加されている転送先ＩＤにより特定される固定電話端末２に転送する。
【００７８】
したがって、本実施の形態によれば、携帯電話端末１のユーザが、近傍にある固定電話端末２のＩＤを知らない場合でも、この携帯電話端末１から発信あるいはこの携帯電話端末１に着信した呼の通話相手と、近傍の固定電話端末２との間に、携帯電話端末１を経由させることなく通話路を確立することができる。
【００７９】
また、本実施の形態において、携帯電話端末１は、近距離無線通信６により固定電話端末２にＩＤ送信要求を送信して、この固定電話端末２からのＩＤの返信を所定時間ｔ待つ処理を、優先順位の高い固定電話端末２から順番に、いずれかの固定電話端末２からＩＤの返信があるまで繰り返す。一方、固定電話端末２は、近距離無線通信６により携帯電話端末１からＩＤ送信要求を受信したならば、自固定電話端末２が通話中あるいは発着信処理中でない場合にのみ、携帯電話端末１に自固定電話端末２のＩＤを返信する。
【００８０】
したがって、本実施の形態によれば、携帯電話端末１の近傍に固定電話端末２が複数ある場合に、これらの固定電話端末２のなかから、呼を転送可能な固定電話端末２を自動的に探索して呼を転送することができる。
【００８１】
また、本実施の形態において、携帯電話端末１は、ユーザの強制終了操作があった場合には、近距離無線通信６による固定電話端末２へのＩＤ送信要求を停止するので、固定電話端末２の自動探索を強制的に終了させることができる。
【００８２】
また、本実施の形態において、携帯電話端末１は、近距離無線通信６における各固定電話端末２からの受信電波の電波強度に基づいて、ＩＤ送信要求を送信する固定電話端末２の優先順位を決定している。したがって、本実施の形態によれば、呼を転送可能な固定電話端末２のなかで最も携帯電話端末１の近傍にある固定電話端末２に呼を転送することができる。
【００８３】
なお、本実施の形態において、携帯電話網４と固定電話網５とを電話制御装置３で接続する代わりに、携帯電話網４に対する電話交換制御を行う転送サービス機能を備えた電話制御装置と、固定電話網５に対する電話交換制御を行う転送サービス機能を備えた電話制御装置と、をゲートウェイで接続することで、携帯電話網４と固定電話網５とを接続してもよい。
【００８４】
［第二実施の形態］
本発明の第二実施の形態が適用された電話システムが、図１に示す第一実施の形態が適用された電話システムと異なる点は、携帯電話端末１、固定電話端末２に代えて、携帯電話端末１Ａ、固定電話端末２Ａを設けた点である。その他の構成は第一実施の形態が適用された電話システムと同様である。なお、本実施の形態において、電話制御装置３の転送制御部３４は省略されていてもよい。すなわち、本実施の形態の電話制御装置３には、転送サービス機能がなくてもよい。
【００８５】
図９は、本発明の第二実施の形態が適用された電話システムに係る携帯電話端末１Ａの概略構成図である。
【００８６】
図示するように、携帯電話端末１Ａが、図２に示す携帯電話端末１と異なる点は、転送制御部１５に代えてコールバック制御部１６を携帯電話端末１Ａに設けた点である。
【００８７】
コールバック制御部１６は、携帯電話網４に発信あるいは携帯電話網４から着信した呼の通話相手に、固定電話端末２からコールバックさせるための処理部であり、コールバック元候補決定部１６１と、コールバック指示部１６２と、を有する。
【００８８】
コールバック元候補決定部１６１は、近距離無線通信６により通信可能な固定電話端末２を、コールバック元候補として、近距離無線インターフェース部１２におけるこの固定電話端末２の受信電波強度とともに登録する。この受信電波強度はコールバックの優先順位として用いられる。
【００８９】
コールバック指示部１６２は、近距離無線インターフェース部１２を介して、登録されたコールバック元候補のうちの優先順位の最も高いコールバック元候補の固定電話端末２に、自携帯電話端末１ＡのＩＤを含み、自携帯電話端末１Ａの通話相手のＩＤをコールバック先ＩＤとするコールバック指示メッセージを送信する。そして、この固定電話端末２から所定時間内にコールバックの開始通知がない場合は、この固定電話端末２の次に優先順位の高いコールバック元候補の固定電話端末２に対して同様に、コールバック指示メッセージを送信する。この処理を、いずれかの固定電話端末２からコールバックの開始通知を受信するまで順番に繰り返す。
【００９０】
図１０は、図９に示す携帯電話端末１Ａのコールバックに係わる動作を説明するためのフロー図である。
【００９１】
このフローは、ユーザから通話相手へのコールバック操作を受け付けた場合、および着信に対してユーザから応答操作を受け付けることなく所定時間を経過して呼制御部１４１が自動応答した場合等の、所定のコールバックイベントが発生した場合に開始される。
【００９２】
先ず、コールバック元候補決定部１６１は、自携帯電話端末１Ａの近傍にある固定電話端末２Ａを探索するためのメッセージである固定電話端末探索メッセージを近距離無線インターフェース部１２からマルチキャストで送信する（Ｓ１５１）。
【００９３】
次に、コールバック元候補決定部１６１は、所定時間（例えば数〜十数秒）Ｔを経過するまでの間（Ｓ１５４）、コールバック元候補となる固定電話端末２Ａの登録処理を行う（Ｓ１５２、Ｓ１５３）。すなわち、コールバック元候補決定部１６１は、固定電話端末２Ａから近距離無線インターフェース部１２に届いた応答メッセージの送信元アドレス（ＭＡＣアドレス等）を、コールバック元候補として、近距離無線インターフェース部１２におけるこの応答メッセージの受信電波強度とともに登録する。
【００９４】
次に、コールバック指示部１６２は、コールバック元候補が登録されているか否かを判断する（Ｓ１５５）。コールバック元候補が登録されているならば（Ｓ１５５でＹＥＳ）、コールバック指示部１６２は、登録されたコールバック元候補のうち、最も高い電波強度のコールバック元候補を選択する（Ｓ１５６）。それから、コールバック指示部１６２は、このコールバック元候補のアドレスを送信先アドレスとするコールバック指示メッセージを生成する（Ｓ１５７）。このコールバック指示メッセージには、携帯電話端末１ＡのＩＤが含まれ、携帯電話端末１Ａの通話相手のＩＤがコールバック先ＩＤとして指定されている。そして、近距離無線インターフェース部１２からこのコールバック元候補の固定電話端末２Ａに、このコールバック指示メッセージを送信する（Ｓ１５８）。
【００９５】
その後、コールバック指示部１６２は、近距離無線インターフェース部１２を介してコールバック指示メッセージの送信先である固定電話端末２から、所定時間（例えば数〜十数秒）Ｔ内にコールバックの開始通知を受信しなかった場合（Ｓ１５９でＮＯ）、ユーザインターフェース部１３を介してユーザから強制終了操作を受け付けていないならば（Ｓ１６３でＮＯ）、コールバック指示メッセージの送信先である固定電話端末２の、コールバック元候補としての登録を削除して（Ｓ１６４）、Ｓ１５５に戻る。ユーザインターフェース部１３を介してユーザから強制終了操作を受け付けているならば（Ｓ１６３でＹＥＳ）、コールバックが行われなかった旨のメッセージをユーザインターフェース部１３から出力するなどの所定のコールバック失敗通知を行って（Ｓ１６５）、このフローを終了する。
【００９６】
一方、コールバック指示部１６２は、近距離無線インターフェース部１２を介して、コールバック指示メッセージの送信先である固定電話端末２から、所定時間Ｔ内にコールバックの開始通知を受信した場合（Ｓ１５９でＹＥＳ）、通話処理部１４２と連携して、通話相手にコールバックを実行する旨のアナウンスを行う（Ｓ１６１）。それから、コールバック指示部１６２は、呼制御部１４１と連携して、通話相手との呼を切断し（Ｓ１６２）、このフローを終了する。
【００９７】
また、コールバック元候補が登録されていない場合（Ｓ１５５でＮＯ）、コールバック指示部１６２は、コールバックが行われなかった旨のメッセージをユーザインターフェース部１３から出力するなどの所定のコールバック失敗通知を行って（Ｓ１６５）、このフローを終了する。
【００９８】
図１１は、本発明の第二実施の形態が適用された電話システムに係る固定電話端末２Ａの概略構成図である。
【００９９】
図示するように、固定電話端末２Ａが、図４に示す固定電話端末２と異なる点は、端末ＩＤ通知部２６に代えてコールバック制御部２７を固定電話端末２Ａに設けた点である。
【０１００】
コールバック制御部２７は、携帯電話端末１Ａの指示に従いコールバックを実行するための処理部であり、コールバック指示受付部２７１と、発信指示部２７２と、履歴保持部２７３と、を有する。
【０１０１】
コールバック指示受付部２７１は、近距離無線インターフェース部２２を介して携帯電話端末１Ａからコールバック指示メッセージを受け付ける。
【０１０２】
発信指示部２７２は、携帯電話端末１Ａから受け付けたコールバック指示メッセージに従い、呼制御部２４１と連携して、このコールバック指示メッセージで指定されているコールバック先ＩＤを発信先とする呼接続要求メッセージを、固定電話網インターフェース部２１を介して電話制御装置３に送信する。
【０１０３】
履歴保持部２７３には、受け付けたコールバック指示メッセージ毎に、その履歴情報（コールバック指示メッセージの送信元である携帯電話端末１ＡのＩＤ、コールバック指示メッセージの受信日時、コールバック先ＩＤ、コールバックの実行状況等）を記憶する。なお、履歴保持部２７３に記憶された履歴情報は、ユーザインターフェース部２３から出力することができる。
【０１０４】
図１２は、図１１に示す固定電話端末２Ａのコールバックに係わる動作を説明するためのフロー図である。
【０１０５】
応答メッセージ送信部２５は、近距離無線インターフェース部２２を介して携帯電話端末１Ａから固定電話端末探索メッセージを受信すると（Ｓ２５１でＹＥＳ）、呼制御部２４１が発着信処理中でなく、かつ通話処理部２４２が通話中でないならば（Ｓ２５２でＮＯ）、近距離無線インターフェース部２２を介してこの携帯電話端末１Ａに応答メッセージを返信する（Ｓ２５３）。一方、呼制御部２４１が発着信処理中、あるいは通話処理部２４２が通話中であるならば（Ｓ２５２でＹＥＳ）、この固定電話端末探索メッセージに応答しない。
【０１０６】
また、コールバック指示受付部２７１は、近距離無線インターフェース部２２を介して携帯電話端末１Ａからコールバック指示メッセージを受信すると（Ｓ２５４でＹＥＳ）、呼制御部２４１が発着信処理中、あるいは通話処理部２４２が通話中であるならば（Ｓ２５５でＹＥＳ）、このコールバック指示メッセージに応答しない。応答メッセージ送信部２５は、履歴保持部２７３に新たなレコードを追加し、このレコードに、コールバック指示メッセージの送信元である携帯電話端末１ＡのＩＤ、コールバック指示メッセージの受信日時、コールバック先ＩＤ、コールバックの実行状況「未実行」等の履歴情報を登録する（Ｓ２６５）。
【０１０７】
一方、呼制御部２４１が発着信処理中でなく、かつ通話処理部２４２が通話中でないならば（Ｓ２５５でＮＯ）、ユーザインターフェース部２３からコールバックを示す鳴動音を出力する（Ｓ２５６）。
【０１０８】
それから、コールバック指示受付部２７１は、所定時間（例えば数秒〜十数秒）内に、ユーザインターフェース部２３を介してユーザからオフフック等の所定の応答操作がなされたならば（Ｓ２５７でＹＥＳ）、鳴動音の出力を停止するとともに（Ｓ２５８）、近距離無線インターフェース部２２を介して携帯電話端末１Ａに、コールバックの開始通知を送信する（Ｓ２５９）。その後、コールバック指示受付部２７１は、コールバック指示メッセージからコールバック先ＩＤを抽出して（Ｓ２６０）、発信指示部２７２に通知する。これを受けて、発信指示部２７２は、呼制御部２４１と連携して、コールバック先ＩＤを送信先とする呼接続要求メッセージを、固定電話網インターフェース部２１を介して電話制御装置３に送信する（Ｓ２６１）。
【０１０９】
次に、発信指示部２７２は、所定時間内にコールバック先から発信に対する応答があったならば（Ｓ２６２でＹＥＳ）、その旨をコールバック指示部２７１に知らせる。これを受けて、コールバック指示部２７１は、履歴保持部２７３に新たなレコードを追加し、このレコードに、コールバック指示メッセージの送信元である携帯電話端末１ＡのＩＤ、コールバック指示メッセージの受信日時、コールバック先ＩＤ、コールバックの実行状況「実行済み（応答あり）」等の履歴情報を登録する（Ｓ２６５）。
【０１１０】
また、発信指示部２７２は、所定時間内にコールバック先から発信に対する応答がなかったならば（Ｓ２６２でＮＯ）、コールバック先への発信を停止して（Ｓ２６３）、その旨をコールバック指示部２７１に知らせる。これを受けて、コールバック指示部２７１は、履歴保持部２７３に新たなレコードを追加し、このレコードに、コールバック指示メッセージの送信元である携帯電話端末１ＡのＩＤ、コールバック指示メッセージの受信日時、コールバック先ＩＤ、コールバックの実行状況「実行済み（応答なし）」等の履歴情報を登録する（Ｓ２６５）。
【０１１１】
一方、所定時間内に、ユーザインターフェース部２３を介してユーザからオフフック等の所定の応答操作がなされなかった場合（Ｓ２５７でＮＯ）、コールバック指示受付部２７１は、鳴動音の出力停止のみを行い、携帯電話端末１Ａにコールバックの開始通知を送信しない（Ｓ２６４）。また、コールバック指示受付部２７１は、履歴保持部２７３に新たなレコードを追加し、このレコードに、コールバック指示メッセージの送信元である携帯電話端末１ＡのＩＤ、コールバック指示メッセージの受信日時、コールバック先ＩＤ、コールバックの実行状況「未実行」等の履歴情報を登録する（Ｓ２６５）。
【０１１２】
次に、本実施の形態が適用された電話システムの動作例を説明する。
【０１１３】
図１３は、本発明の第二実施の形態が適用された電話システムのコールバックに係わる動作を説明するためのシーケンス図である。
【０１１４】
ここでは、携帯電話端末１Ａの近傍に２台の固定電話端末２Ａ−１、２Ａ−２がある場合を例にとり説明する。
【０１１５】
携帯電話網４を介して電話制御装置３から携帯電話端末１Ａに呼接続要求メッセージが着信し（Ｓ４５１）、これに対して携帯電話端末１Ａのユーザがオフフック等の応答操作を行うと（Ｓ４５２）、携帯電話端末１Ａは、携帯電話網４を介して電話制御装置３に応答メッセージを送信する（Ｓ４５３）。これにより、携帯電話網４および電話制御装置３を介して、携帯電話端末１Ａと通話相手との間に呼が確立する（Ｓ４５４）。
【０１１６】
さて、携帯電話端末１Ａは、ユーザよりコールバック（ＣＢ）操作を受け付けると（Ｓ４５５）、近距離無線通信６により固定電話端末探索メッセージをマルチキャスト送信する（Ｓ４５６）。これを受けて、携帯電話端末１Ａの近傍にある固定電話端末２Ａ−１、２Ａ−２は、それぞれ、自固定電話端末２Ａ−１、２Ａ−２が発着信処理中および通話中のいずれでもないことを確認し、近距離無線通信６により携帯電話端末１Ａに応答メッセージを送信する（Ｓ４５７）。
【０１１７】
次に、携帯電話端末１Ａは、応答メッセージの送信元である固定電話端末２Ａ−１、２Ａ−２を、コールバック元候補として、応答メッセージの受信電波強度とともに登録する。それから、携帯電話端末１Ａは、登録したコールバック元候補のなかから、電波強度の最も高いコールバック元候補を選択する。ここでは、固定電話端末２Ａ−１が選択されたものとする。携帯電話端末１Ａは、近距離無線通信６により、コールバック先ＩＤとして通話相手のＩＤが指定されたコールバック指示メッセージを固定電話端末２Ａ−１に送信する（Ｓ４５９）。
【０１１８】
ここで、固定電話端末２Ａ−１は、コールバック指示メッセージの受信に先立って、ユーザにより発信操作が行われたものとする（Ｓ４５８）。この場合、固定電話端末２Ａ−１は、携帯電話端末１Ａにコールバックの開始通知を送信せず、コールバック実行状況「未実行」とする履歴情報を記録して（Ｓ４６０）、処理を終了する。
【０１１９】
さて、携帯電話端末１Ａは、固定電話端末２Ａ−１からコールバックの開始通知を受信することなく所定時間Ｔが経過すると、固定電話端末２Ａ−１を、登録されたコールバック元候補から削除する。それから、携帯電話端末１Ａは、残されたコールバック元候補のなかから、電波強度の最も高いコールバック元候補を選択する。ここでは、コールバック元候補が固定電話端末２Ａ−２のみなので、固定電話端末２Ａ−２が選択される。携帯電話端末１Ａは、近距離無線通信６により、固定電話端末２Ａ−２に、コールバック先ＩＤとして通話相手のＩＤが指定されたコールバック指示メッセージを送信する（Ｓ４６１）。
【０１２０】
これを受けて、固定電話端末２Ａ−２は、コールバックを示す鳴動音を出力する（Ｓ４６２）。そして、ユーザからコールバックに対する応答操作がなされたならば（Ｓ４６３）、近距離無線通信６により、携帯電話端末１Ａにコールバックの開始通知を送信する（Ｓ４６４）。その後、コールバックを示す鳴動音の出力を停止する（Ｓ４６５）。
【０１２１】
さて、携帯電話端末１Ａは、固定電話端末２Ａ−２よりコールバックの開始通知を受信したならば、この携帯電話端末１Ａの通話相手に、コールバックを実行する旨のアナウンスを送信し（Ｓ４６６）、その後、この通話相手との間に確立されている呼を切断する（Ｓ４６７）。
【０１２２】
一方、固定電話端末２Ａ−２は、固定電話網５を介して電話制御装置３に、コールバック指示メッセージで指定されているコールバック先ＩＤを発信先とする呼接続要求メッセージを送信する（Ｓ４６８）。また、コールバック実行状況「実行済み」とする履歴情報を記録する（Ｓ４６９）。
【０１２３】
その後、固定電話端末２Ａ−２が電話制御装置３を介してコールバック先から応答メッセージを受信することにより（Ｓ４７０）、固定電話網５および電話制御装置３を介して、固定電話端末２Ａ−２とコールバック先との間に呼が確立する（Ｓ４７１）。
【０１２４】
以上、本発明の第二実施の形態を説明した。
【０１２５】
本実施の形態において、携帯電話端末１Ａは、近距離無線通信６により近傍の固定電話端末２Ａに、自携帯電話端末１Ａの通話相手をコールバック先とするコールバック指示メッセージを送信する。これを受けて、固定電話端末２Ａは、携帯電話端末１Ａから受信したコールバック指示メッセージで指定されているコールバック先ＩＤを送信先とする呼接続要求メッセージを、固定電話網５を介して電話制御装置３に発信する。
【０１２６】
したがって、本実施の形態によれば、携帯電話端末１Ａのユーザが近傍にある固定電話端末２ＡのＩＤを知らない場合でも、この携帯電話端末１Ａから発信あるいは携帯電話端末１Ａに着信した呼の通話相手と、近傍の固定電話端末２Ａとの間に、携帯電話端末１Ａを経由させることなく通話路を確立することができる。また、本実施の形態によれば、携帯電話網４が呼の転送サービス機能を備えていない場合でも、携帯電話端末１Ａから発信あるいは携帯電話端末１Ａに着信した呼の通話相手とこの固定電話端末２Ａとの間に通話路を確立できる。
【０１２７】
また、本実施の形態において、携帯電話端末１Ａは、近距離無線通信６により固定電話端末２Ａにコールバック指示メッセージを送信して、この固定電話端末２Ａからコールバックの開始通知を所定時間Ｔ待つ処理を、優先順位の高い固定電話端末２Ａから順番に、いずれかの固定電話端末２Ａからコールバックの開始通知を受信するまで繰り返す。一方、固定電話端末２Ａは、近距離無線通信６により携帯電話端末１Ａからコールバック指示メッセージを受信したならば、自固定電話端末２Ａが通話中あるいは発着信処理中でなく、かつユーザから応答操作を受け付けた場合にのみ、携帯電話端末１Ａにコールバックの開始通知を送信して、コールバックを開始する。
【０１２８】
したがって、本実施の形態によれば、携帯電話端末１Ａの近傍に固定電話端末２Ａが複数ある場合に、これらの固定電話端末２Ａのなかから、コールバック可能な固定電話端末２Ａを自動的に探索して、この固定電話端末２Ａにコールバックさせることができる。
【０１２９】
また、本実施の形態において、携帯電話端末１Ａは、ユーザの強制終了操作があった場合には、近距離無線通信６による固定電話端末２Ａへのコールバック指示メッセージの送信を停止するので、固定電話端末２Ａの自動探索を強制的に終了させることができる。
【０１３０】
また、本実施の形態において、携帯電話端末１Ａは、近距離無線通信６における各固定電話端末２Ａからの受信電波の電波強度に基づいて、コールバック指示メッセージを送信する固定電話端末２Ａの優先順位を決定している。したがって、本実施の形態によれば、コールバック可能な固定電話端末２のなかで最も携帯電話端末１Ａの近傍にある固定電話端末２Ａにコールバックを行わせることができる。
【０１３１】
なお、本発明は上記の各実施の形態に限定されるものではなく、その要旨の範囲内で数々の変形が可能である。
【０１３２】
例えば、上記の各実施の形態では、無線電話端末として携帯電話端末１、１Ａを用いた場合を例にとり説明した。しかし、本発明はこれに限定されない。無線電話端末は、ＰＨＳ端末、無線ＩＰ電話端末等のその他の無線電話端末であってもよい。この場合、携帯電話網４の代わりに、ＰＨＳ網、無線ＩＰ電話網等の無線電話端末に対応した無線電話網が用いられ、電話制御装置３は、この無線電話網および固定電話網５に対する電話交換制御を行う。
【０１３３】
また、上記の実施の形態において、図２、図９に示す携帯電話端末１、１Ａ、図４、図１１に示す固定電話端末２、２Ａ、および図６に示す電話制御装置３は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実行されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【０１３４】
１、１Ａ：携帯電話端末、２、２Ａ：固定電話端末、３：電話制御装置、４：携帯電話網、５：固定電話網、６：近距離無線通信、１１：携帯電話網インターフェース部、１２：近距離無線インターフェース部、１３：ユーザインターフェース部、１４：携帯電話機能部、１５：転送制御部、１６：コールバック制御部、２１：固定電話網インターフェース部、２２：近距離無線インターフェース部、２３：ユーザインターフェース部、２４：固定電話機能部、２５：応答メッセージ送信部、２６：端末ＩＤ通知部、２７：コールバック制御部、３１：固定電話網インターフェース部、３２：携帯電話網インターフェース部、３３：電話交換機能部、３４：転送制御部、１４１：呼制御部、１４２：通話処理部、１５１：転送先候補決定部、１５２：端末ＩＤ取得部、１５３：転送指示部、１６１：コールバック元候補決定部、１６２：コールバック指示部、２４１：呼制御部、２４２：通話処理部、２７１：コールバック指示受付部、２７２：発信指示部、２７３：履歴保持部
【図１】
2010199958.tif 000003
【図２】
2010199958.tif 000004
【図３】
2010199958.tif 000005
【図４】
2010199958.tif 000006
【図５】
2010199958.tif 000007
【図６】
2010199958.tif 000008
【図７】
2010199958.tif 000009
【図８】
2010199958.tif 000010
【図９】
2010199958.tif 000011
【図１０】
2010199958.tif 000012
【図１１】
2010199958.tif 000013
【図１２】
2010199958.tif 000014
【図１３】
2010199958.tif 000015